(57)【要約】  【課題】屋内空間を多様に仕切ることのできる間仕切り壁を提供する。  【解決手段】平面視Ｌ字状をなす壁本体たるムーバブルパネル本体１と、当該ムーバブルパネル本体１の下縁に沿う位置に設けられ該ムーバブルパネル本体１を移動可能に支持するキャスタ１とを具備することを特徴とする。  【選択図】図５
2006161286.tif 000002
【特許請求の範囲】
【請求項１】
屋内空間を仕切るためのものであって、
平面視屈曲又は湾曲した自立可能な平面視形状をなす壁本体と、当該壁本体の下縁に沿う位置に設けられ該壁本体を移動可能に支持する複数のキャスタとを具備することを特徴とする移動間仕切り壁。
【請求項２】
前記壁本体が、鋭角、直角或いは鈍角をなして接続される複数のパネルを有するものであり、当該複数のパネルの下縁に沿う位置に前記複数のキャスタを位置付けている請求項１記載の移動間仕切り壁。
【請求項３】
前記複数のパネルが、所定の角度で固定された状態で接続されている請求項２記載の移動間仕切り壁。
【請求項４】
前記壁本体が、それぞれ巾寸法が異なる複数のパネルを有している請求項１、２又は３記載の移動間仕切り壁。
【請求項５】
前記壁本体の下縁略全域に亘って下フレームを取り付けている請求項１、２、３又は４記載の移動間仕切り壁。
【請求項６】
前記下フレームに前記キャスタを取り付けている請求項５記載の移動間仕切り壁。
【請求項７】
前記下フレームを下方に開口するチャネル状の断面形状を有するものとし、当該下フレームを下側から一部を切り欠いた切欠部を設け、該切欠部に前記キャスタを配置している請求項５又は６記載の移動間仕切り壁。
【発明の詳細な説明】
【技術分野】
【０００１】
本発明は、屋内空間を仕切るための間仕切り壁に関するものである。
【背景技術】
【０００２】
従来、間仕切り壁の下方にキャスタを設け、屋内空間の間仕切り方を変更し得るように構成された間仕切り壁が提案されている（例えば、特許文献１、特許文献２及び特許文献３参照）。
【０００３】
これらのものは、間仕切り壁の一端側が他の自立した建築壁や固定間仕切り壁などに支持された状態で設置され、予め決められた複数のパターンで屋内空間を仕切ることができるため、例えば屋内空間の仕切りパターンを他のパターンへと簡便且つ省力的に変更することができるものである。
【特許文献１】特開２００１−１２８８２１号公報（図１、図２等）
【特許文献２】特開２００３−７４１３８号公報（図１、図２等）
【特許文献３】特開２００３−３２８４８１号公報（図１等）
【発明の開示】
【発明が解決しようとする課題】
【０００４】
しかしながら、このような間仕切り壁は上述の通り一端側が他の自立した固定間仕切り壁などに支持されているものであるため、これらの間仕切り壁は、同じ場所で向きや形状を変化させるか或いは限られた動作範囲内を移動するといったことしかできないため、これらの間仕切り壁が屋内空間を仕切る態様はごく限られたものであった。
【０００５】
本発明は、このような不具合に着目したものであり、屋内空間を多様に仕切ることのできる間仕切り壁を提供する。
【課題を解決するための手段】
【０００６】
本発明は、このような目的を達成するために、次のような手段を講じたものである。すなわち、本発明に係る移動間仕切り壁は、屋内空間を仕切るためのものであって、平面視屈曲又は湾曲した自立可能な平面視形状をなす壁本体と、当該壁本体の下縁に沿う位置に設けられ該壁本体を移動可能に支持するキャスタとを具備することを特徴とする。
【０００７】
このようなものであれば、上述した各特許文献に開示されているものとは異なり、完全に他の構造物から分離独立させて使用することもできるため、空間を仕切る際に適宜好ましい箇所へ移動させ、空間を種々の態様に仕切ることが可能となる。例えば、他の構造物と同一或いは類似した仕様、具体的には他の構造物と意匠や寸法を統一させたものとすれば、使用者に違和感を与えることなく予め仕切られたような空間を好適に構築したり、また、移動間仕切り壁の位置を適宜移動させて全体としての統一感を保持したまま種々の態様の空間を構築することも可能となる。
【０００８】
壁本体を好適に自立させるためには、前記壁本体を、鋭角、直角或いは鈍角をなして接続される複数のパネルを有するものとして、当該複数のパネルの下縁に沿う位置に前記複数のキャスタを位置付けることが望ましい。ここで、この複数のパネルが接続させる角度が変更し得るように構成したものであっても良い。なお、ここでいう「鋭角、直角或いは鈍角」とは、例えば角部や隅部を形成し得る角度のみを指すものであり、０°並びに１８０°といった角度を除くものである。そして、複数のパネルを、所定の角度で固定された状態で接続するものとすれば、パネルを移動させる作用力が直接壁本体を移動させることとなるため、より小さい力でパネルを移動させ得るものとなる。
【０００９】
そして、壁本体を間仕切りとして使用したり、外部に対する目隠しとして使用する、或いは屋内空間の一部のみを隠蔽するといったように、屋内空間を仕切る態様を、適宜選択し得るようにするためには、壁本体を、それぞれ巾寸法が異なる複数のパネルを用いて構成し、屋内空間を仕切る或いは目隠しをする巾寸法を選択し得るようにすることが望ましい。ここで、壁本体の平面視形状に限られるものではなく、例えばＬ字形やＴ字形、或いはコの字形をなすものであっても良い。
【００１０】
そして、壁本体の強度を有効に向上させるためには、壁本体の下縁略全域に亘って下フレームを取り付けることが望ましい。具体的には、キャスタを下フレームに取り付けるものであれば、キャスタが下フレームを介して壁本体を支持することにより壁本体に局所的に自重が掛かることを有効に回避して壁本体の自重を好適にキャスタに支持させることができる。
【００１１】
壁本体の面方向の曲がりに対する剛性、上下方向の撓み剛性、及びねじれ剛性を有効に向上させるための下フレームの具体的な形状として、下フレームを下方に開口するチャネル状の断面形状を有するものとすることが好ましい。そして、このような下方に開口するチャネル状のフレームを下側から一部を切り欠いた切欠部を設け、この切欠部にキャスタを配置すれば、下フレームの下端縁と床面との距離を小さくして全体の重心をより低く構成して倒伏し難いものとすることができるとともに、見た目上も重心が低いように感じさせて外観上の安定感を付与することができる。
【発明の効果】
【００１２】
本発明に係る移動間仕切り壁によれば、壁本体を自立可能な平面視形状を有するものとすることにより、壁本体自体が他の物とは独立して設置させることができ、且つ壁本体の下縁に沿って取り付けたキャスタにより、移動間仕切り壁自体を任意の箇所へ移動させることが可能であるため、限られた屋内空間を任意に且つ多様に仕切り、所望の空間を構築することが可能となる。また例えば、他の構造物と同一或いは類似した仕様、具体的には他の構造物と意匠や寸法を統一させたものとすれば、使用者に違和感を与えることなく予め仕切られたような空間を好適に構築したり、また、移動間仕切り壁の位置を適宜移動させて全体としての統一感を保持したまま種々の態様の空間を構築することも可能となる。
【発明を実施するための最良の形態】
【００１３】
以下、本発明の一実施の形態について図面を参照して説明する。
【００１４】
図１、図２、図３及び図４に屋内空間たるオフィスのパーティションシステムＰＳを示す。このパーティションシステムＰＳは主に固定間仕切り壁Ｗと本実施形態に係るムーバブルパネルＭＰとによって主に構成されているものである。なお、同図において椅子及びテーブルの配置の一例をそれぞれ示している。
【００１５】
ここで、本実施形態に係る移動間仕切り壁たるムーバブルパネルＭＰは、オフィス空間を仕切るものであって、特に図５に示すように、平面視屈曲又は湾曲した平面視形状をなす自立可能な壁本体たるムーバブルパネル本体１と、当該ムーバブルパネル本体１の下縁に沿った位置に取り付けた複数のキャスタ２とを主に具備することを特徴としているものであるが、このムーバブルパネルＭＰの詳細な構造については後に詳述する。
【００１６】
一方、固定間仕切り壁Ｗは、それぞれ巾寸法が異なる壁パネルＷＰを例えば平面視略コの字状に連結させて載置してなるものである。本実施形態では、上述の通り略コの字形すなわち一辺を開放させた矩形状に載置することにより、それぞれの壁パネルＷＰを互いに支持させ合うことで固定間仕切り壁Ｗ自体に自立性を持たせながら、矩形状に配置された固定間仕切り壁Ｗの内側をミーティング空間として設定している。勿論、固定間仕切り壁Ｗは図示するような平面視コの字形の他に、種々の態様に配置することが可能である。また例えば、固定間仕切り壁Ｗには自立性を持たせずに当該固定間仕切り壁Ｗを構成する壁パネルＷＰの巾方向の一端側を建築壁等に固定するようにしても良い。
【００１７】
さて、このパーティションシステムＰＳは、このムーバブルパネルＭＰを適宜移動させることにより、図１、図２、図３及び図４に示す通り、例えば２つの小さなミーティング空間を構築する態様から多人数でミーティングし得る１つの大きなミーティング空間を構築する態様或いはその他種々の態様へと任意に変更し得るものである。
【００１８】
図１及び図２は、固定間仕切り壁Ｗによって略矩形状に仕切られた空間をムーバブルパネルＭＰの後述するメインパネル１１によって２つに仕切るように配置することにより、２つのミーティング空間を構築した態様を示している。なおこの場合、後述するサブパネル１２は図示右側の仕切られた空間の一部を目隠しする役割を担っている。ここで、上述の通りムーバブルパネルＭＰが固定間仕切り壁Ｗと共通した仕様、具体的には寸法及び意匠を共通させた仕様を有しているので、ムーバブルパネルＭＰの一端を固定間仕切り壁Ｗに接するように配置することにより、固定間仕切り壁Ｗとは別種類の間仕切りを改めて設置しているという違和感を使用者に対して与えることがなく、あたかも２つのミーティング空間が予め構築されているような印象を与えているものである。
【００１９】
図３及び図４は、略矩形状に仕切られた固定間仕切り壁Ｗのうち、開放された一辺に沿ってムーバブルパネルＭＰのメインパネル１１を載置することにより、パーティションシステムＰＳが１つの大きなミーティング空間を構築した態様を示している。
【００２０】
また、図１、図２、図３及び図４の他にも当該パーティションシステムＰＳは種々の態様に配置して空間を多様に形成することが可能である。すなわち、本実施形態に係るムーバブルパネルＭＰはパーティションシステムＰＳ全体の統一感を保持しつつ使用者に違和感を与えずに種々の空間を形成し得るものとなっている。
【００２１】
次に、本実施形態に係るムーバブルパネルＭＰの各構成要素について図５乃至図９を用いて詳述する。上述のようにムーバブルパネルはムーバブル本体１とキャスタ２とによって主に構成されるとともに、ムーバブルパネル本体１とキャスタ２との間に下フレーム３を介在させているものである。
【００２２】
ムーバブルパネル本体１は、図５に示すように、巾寸法の比較的大きなメインパネル１１と、巾寸法が比較的小さいサブパネル１２とを直角に連結することにより主に構成しているものである。さらに詳細には、メインパネル１１は１枚の透明板部１Ｇと１枚のクロス板部１Ｃとによって主に構成され、サブパネル１２は、１枚の透明板部１Ｇによって主に構成している。
【００２３】
メインパネル１１は、図５に示すように透明板部１Ｇとクロス板部１Ｃとを平面視直線状に連結することにおり、例えば約１８０ｃｍの巾寸法を有している。このメインパネル１１において、透明板部１Ｇとクロス板部１Ｃとを連結する構造については、透明板部１Ｇの後述する枠部材ｇｆとクロス板部１Ｃの後述する木枠ｗｆとに亘って上下方向から図示しない２枚の板材を架設・固定するという構造を採用しているが、この構造についても周知のものであるので図示及び詳細な説明を省略するものとする。
【００２４】
サブパネル１２は図５に示すように、本実施形態ではメインパネル１１に後述するコーナーポストＣＰを介して直角に固定された状態で連結された透明板部１Ｇを主体としてなるものとしているが、勿論クロス板部１Ｃを用いて構成したものであっても良い。
【００２５】
ここで、メインパネル１１とサブパネル１２とを連結機構Ｃを介して直角に連結することにより、ムーバブルパネル本体１は他に脚などを取り付けることなく自立し得るものとなっている。そして本実施形態では、メインパネル１１及びサブパネル１２に亘って、コーナーポストＣＰを挟んで２枚の透明板部１Ｇを配置した構成とすることにより、ムーバブルパネルＭＰを載置した際に、当該ムーバブルパネルＭＰを経た向こう側の視認性を向上させるとともにムーバブルパネルＭＰによって仕切られた空間の採光性を向上させたものとしている。また、メインパネル１１とサブパネル１２を直角に、即ち平面視Ｌ字形に連結している連結機構Ｃは、例えばコーナーポストＣＰを介してパネル同士を例えば平面視Ｔ字形、やＸ字形に連結することや、メインパネル１１の他端に他のパネルを連結してコの字形等にも連結し得るものであるが、この連結機構Ｃの構造は周知のものであるので、ここにおける詳細な説明は省略する。
【００２６】
次に、メインパネル１１及びサブパネル１２を構成している透明板部１Ｇ及びクロス板部１Ｃの具体的な構造について図６及び図７を用いて詳述する。透明板部１Ｇは、図６に模式的に示すように、例えばアルミの押出成形により製造された枠部材ｇｆの差込溝ｇｆ１に、例えば表面につや消し加工を施したポリカーボネート性の透明板ｇを嵌め込むことにより構成されたものである。本実施形態ではこの透明板部１Ｇの巾寸法を例えば約６０ｃｍに設定している。なお、透明板ｇと枠部材ｇｆの差込溝ｇｆ１との間に例えば弾性を有する樹脂製のカバーを設けても良い。また、本実施形態ではポリカーボネート製の透明板ｇを採用したが、アクリル等の他の樹脂素材やガラスを採用したものであってもよい。また本実施形態では視認性・採光性を向上させるために透明板ｇを採用したが、透明度の有無によって限定されるものではなく、例えば透明度を有さずに特定の色彩或いは模様を有するものを採用しても良い。クロス板部１Ｃは、図７に断面を模式的に示すように、例えば図示しないがクロス板部１Ｃと略同じ大きさを形成している矩形状の木枠ｗｆの両側に、面材ｂの表面に布地（クロス）ｃｒを貼り付けてなるクロス面板ｃｂをそれぞれ取り付け、木枠ｗｆ及び１対のクロス面板ｃｂ間には、例えば蜂の巣形状のリブを構成しているハニカムコアｈｃを充填している。特にこのハニカムコアｈｃをクロス面板ｃｂ間に充填することにより、クロス板部１Ｃの撓みを有効に防止するとともにクロス板部１Ｃ全体の軽量化を実現している。そして本実施形態ではクロス板部１Ｃの巾寸法を例えば約１２０ｃｍに設定している。
【００２７】
なお、図６及び図７について、透明板部１Ｇ及びクロス板部１Ｃの下方に、下フレーム３を介してキャスタ２を取り付ける取付構造をも図示しているが、この点については後に詳述する（図９）。
【００２８】
しかして、本実施形態に係るムーバブルパネルＭＰは、ムーバブルパネル本体１の下縁略全域に亘って、詳細にはメインパネル１１及びサブパネル１２の下縁に亘って下フレーム３を取り付け、この下フレーム３にキャスタ２を取り付けている。すなわち、メインパネル１１及びサブパネル１２の下縁に沿う位置に、下フレーム３を介してキャスタ２を取り付けている。
【００２９】
下フレーム３は、図５に示すようにメインパネル１１の下方に取り受けたメイン下フレーム３１と、サブパネル１２の下方に取り付けたサブ下フレーム３２とを有してなるものである。なお、下フレーム３は図示した態様の他、平面視Ｌ字状の一体のものとしてメインパネル１１とサブパネル１２とに亘って取り付けるようにしても良い。
【００３０】
メイン下フレーム３１は、図８に示すように、断面が下方に開口するチャネル状となっているメイン下フレーム本体３１０と、メイン下フレーム本体３１０の上面に例えば溶接により取り付けた断面視下方に開放したコの字状の取付部３１３を、長手方向両端部と中央部の計３箇所に取り付けている。そして、メイン下フレーム本体３１０の両端部付近下方には、後述するキャスタ２並びにキャスタカバー２２を取り付けるための切欠部３１１を形成している。そして当該切欠部３１１を形成した箇所付近の上面２箇所にナット３１２を溶接によってそれぞれ取り付け、メイン下フレーム本体３１０に図示しない孔を設けて下方から後述するボルトＢがナット３１２に螺合し得るように構成している。
【００３１】
サブ下フレーム３２は、図８に示すように、上述のメインフレーム３１と略同じ構成を有しており、サブ下フレーム本体３２０の両端部付近に取付部３２３を取り付けるとともにメインパネル１１側と接続しない開放側の取付部３２３付近にナット３２２を取り付けるとともに、取付部３２３の下方にメイン下フレーム３１の切欠部３１１と同形状の切欠部３２１を形成している。
【００３２】
そして、ムーバブルパネル本体１には、図５に示すようにメイン下フレーム３１及びサブ下フレーム３２を介してキャスタ２を計３箇所に取り付けている。詳細には、メイン下フレーム３１に２箇所及びサブ下フレーム３２に１箇所形成した切欠部３１１、３２１にキャスタ２をそれぞれ取り付けている。
【００３３】
次に、キャスタ２をムーバブルパネル本体１の下縁に沿って取り付ける構造について、メイン下フレーム３１に形成した切欠部３１１にキャスタ２を図９に例示して説明する。同図のように本実施形態では、キャスタホルダ２１、キャスタカバー２２、及び補強部材２３を介してキャスタ２をメイン下フレーム３１に取り付けている。とくに、キャスタホルダ２１によってメイン下フレーム３１の溶接ナット３１３の２箇所においてキャスタ２を支持しているため、キャスタ２が好適にムーバブルパネル本体１を支持し得るようになっている。
【００３４】
また図示の都合上図９では、メイン下フレーム３１を単独に示しているが、実際には図６及び図７に示すように、メイン下フレーム３１をメインパネル１１を構成しているクロス板部１Ｃの木枠ｗｆ又は透明板部１Ｇの枠部材ｇｆにビスｂｓにより固定した後に後述の様にキャスタ２を取り付けている。
【００３５】
キャスタ２は、一般に低床双輪キャスタと呼ばれるものであって、概略円筒状の筐体の下方に、一対の車輪及び該一対の車輪の間に位置する障害物乗り越え用の補助輪が旋回可能に設けられているものであるが、詳細な内部構造は周知のものであるので説明を省略する。このキャスタ２は筐体の最下部に後述するキャスタホルダ２１のリング部２１１よりもやや大きな直径を有する下部２０１とリング部２１１を挿通し得る上部２０２とを有する形状をなしており、上部２０２の周面にはリング部２１１と係合し得る一対の係合爪２０２ａを設けている。キャスタホルダ２１は、例えば金属板の折曲げにより形成されるもので、中央に位置する略真円状のリング部２１１と、リング部２１１から立ち上がる一対の立壁部２１２と、立壁部２１２の上端から水平に折曲がり、メイン下フレーム３１に補強部材２３を介して取り付けられる取付面部２１３とを有するものである。そして、立壁部２１２の中央部分にはそれぞれキャスタカバー２２を固定し得る窓部２１２ａを形成し、取付面部２１３の略中央にはメイン下フレーム３１に設けたナット３１３と連通し得るボルト挿通孔２１３ａを形成している。キャスタカバー２２は、例えば前後左右対称の形状を有する樹脂製の一体成型品であり、おもにキャスタ２の上側を覆う一対の部分球状のカバー部２２１と当該一対のカバー部２２１の間に介在する固定部２２２とを有している。そして、固定部２２２の上部且つ長手方向両端部には一対の固定爪２２２ａを形成している。補強部材２３は、例えば下方に開放したチャネル状に折り曲げた金属製の板材を主体としてものであり、上面にはボルト挿通孔２３１を形成し、両側板部分の中央下部分にはキャスタ２を取り付けた状態においてメイン下フレーム３１に形成した切欠部３１１に対応しうる凹部２３２を形成している。
【００３６】
次に、メイン下フレーム３１にキャスタ２を取り付ける手順について説明する。まず、キャスタ２をキャスタホルダ２１のリング部２１１に下方から挿入し、キャスタ２の下部２０１の上面とリング部２１１の下面とを当接させる。このとき、リング部２１１とキャスタ２の爪部２０２ａとが係り合い、この爪部２０２ａがキャスタ２の脱落防止の役割を果たしている。次に、キャスタ２を取り付けたキャスタホルダ２１の上側からキャスタカバー２２を取り付ける。このとき、キャスタカバー２２の係合爪２２２ａがキャスタホルダ２２の窓部２２２ａに挿入され、窓部２１２ａの上端と係合爪２２２ａの先端とが係り合うことによりキャスタカバー２２がキャスタ２及びキャスタホルダ２１に対して正確に位置決めされる。さらに、キャスタホルダ２１の上側から補強部材２３を被せ、補強部材２３のボルト挿通孔２３１とキャスタホルダ２１のボルト挿通孔２１３ａとを連通させた状態とし、これらボルト挿通孔２１３ａ、ボルト挿通孔２３１の下側から２本のボルトＢをそれぞれワッシャ２ｗとともに挿通させ、メイン下フレーム３１に取り付けたナット３１３に強固に螺合させてキャスタ２の取付を完了させる。
【００３７】
ここで、この補強部材２３はキャスタホルダ２１の強度を補強する役割を果たしている。詳細には、キャスタホルダ２１とともにメイン下フレーム３１に対して共締めすることにより、キャスタホルダ２１に掛かった荷重がキャスタホルダ２１を上下方向に圧縮しメインパネル１１の長手方向に伸張させる方向の力を生じさせることを有効に回避している。またこの補強部材２３は当該荷重によって生じるキャスタホルダ２１を長手方向に伸張させる水平方向の力がメイン下フレーム３１に取り付けたナット３１３の溶接箇所に対して加わることを未然に防止する役割を果たしている。
【００３８】
以上のように、本実施形態に係る移動間仕切り壁たるムーバブルパネルＭＰは、壁本体たるムーバブルパネル本体１が平面視Ｌ字形状といった自立可能な平面視形状をとることにより、他の構造物とは独立して他に脚などを取り付けることなく自立させたものとしている。特に本実施形態では、同じくパーティションシステムＰＳを構成する固定間仕切り壁ＷとムーバブルパネルＭＰとの意匠、寸法といった仕様を共通させることによって、例えば従前からあるキャスタ付の脚を取り付けた間仕切り等を別途採用する場合とは異なり、パーティションシステムＰＳが、使用者に違和感を覚えさせない、統一感のある空間を形成したものとしている。このムーバブルパネル本体１の下縁に沿って取り付けられている複数のキャスタ２とを具備しているので、ムーバブルパネルＭＰ自体を任意の箇所へ移動させることが可能であるため、限られたオフィス内を多様に仕切ることが可能となっている。
【００３９】
また、ムーバブルパネル本体１がメインパネル１１及びサブパネル１２とを有し、メインパネル１１とサブパネル１２とを略直角に接続することにより、ムーバブルパネル本体１が好適に自立し得るように構成している。さらに、メインパネル１１及びサブパネル１２が、連結機構Ｃを介して直角に角度が固定されて接続されているので、ムーバブルパネル本体１が安定して自立するとともに、ムーバブルパネルＭＰに加える作用力が直接ムーバブルパネル本体１の位置を移動させる作用力となるため、ムーバブルパネルＭＰを小さい力で移動させ得るものとなっている。
【００４０】
また、メインパネル１１及びサブパネル１２の巾寸法を異ならせて設定しているため、屋内空間たるオフィスをメインパネル１１によって仕切る或いは目隠しをする態様や、サブパネル１２を用いて一部のみ目隠しをする或いは仕切る態様など、適宜選択することができるものとなっている（図１、図２、図３及び図４）。
【００４１】
ムーバブルパネル本体１の下縁略全域に亘って下フレーム３を取り付けているので、ムーバブルパネル本体１の強度、詳細にはムーバブルパネル本体１の面方向の曲がりに対する剛性、上下方向の撓み剛性、及びねじれ剛性を有効に向上させたものとなっている。
【００４２】
そして、キャスタ２を下フレーム３に取り付けているのでムーバブルパネル本体１の下縁に局所的に自重が掛かることを有効に回避してムーバブルパネル本体１の自重を好適にキャスタ２に支持させたものとなっている。
【００４３】
さらに、下フレーム３をチャネル状に成形することによりムーバブルパネル本体１の面方向の曲がりに対する剛性、上下方向の撓み剛性、及びねじれ剛性をさらに有効に向上させたものとなっている。また、下方に開放したチャネル内のスペースを利用してキャスタ２を下フレーム３に取り付けるためのナット３１３、３２３や切欠部３１１、３２１を設ける或いは形成することにより、下フレーム３の下端縁と床面との距離を小さくして全体の重心を低く構成してムーバブルパネルＭＰを倒伏し難いものとしているとともに、それ以上に見た目にも重心が低いように感じさせて外観上の安定感を付与したものとなっている。
【００４４】
そして、本実施形態の変形例として、ムーバブルパネルＭＰのみを複数用いることによって屋内空間を仕切るものであるパーティションシステムＰＳ２を図１０に示す。この図示例ではムーバブルパネルＭＰを３つ用いることにより、模式的に示している椅子並びにテーブルの周囲を仕切ることにより、当該ムーバブルパネルＭＰの内側に好適にミーティングし得る空間を形成している。また、本変形例のようにムーバブルパネルＭＰのみを用いて屋内空間を仕切る態様は同図に制限されるものではなく、他にも種々の形状に屋内空間を仕切り多様な空間を形成することが可能である。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態において、ムーバブルパネルの平面視形状をＬ字形のものとしたが、その他例えばＴ字形やコの字形とするなど、平面視自立可能な形状であればよい。また、メインパネル及びサブパネルとを接続する角度も直角に限られず、０°及び１８０°のものを除き、鋭角や鈍角をなすものであってもよい。また、メインパネル及びサブパネルとを接続する角度を適宜変更し得るものであっても良い。
【００４７】
その他、各部の具体的構成についても上記実施形態に限られるものではなく、本発明の趣旨を逸脱しない範囲で種々変形が可能である。
【図面の簡単な説明】
【００４８】
【図１】本実施形態に係るパーティションシステムを示す外観図。
【図２】本実施形態に係るパーティションシステムを示す模式的な平面図。
【図３】本実施形態に係るパーティションシステムを示す外観図。
【図４】本実施形態に係るパーティションシステムを示す模式的な平面図。
【図５】本実施形態に係るムーバブルパネルを示す斜視図。
【図６】本実施形態に係るムーバブルパネルの構成を示す模式的な断面図。
【図７】同上。
【図８】本実施形態に係る構成説明図。
【図９】同上。
【図１０】本実施形態の変形例に係る外観図。
【符号の説明】
【００４９】
１…壁本体（ムーバブルパネル本体）
１１…パネル（メインパネル）
１２…パネル（サブパネル）
２…複数のキャスタ（キャスタ）
３…下フレーム
３１…下フレーム（メイン下フレーム）
３２…下フレーム（サブ下フレーム）
３１１、３２１…切欠部
ＭＰ…移動間仕切り壁（ムーバブルパネル）
【図１】
2006161286.tif 000003
【図２】
2006161286.tif 000004
【図３】
2006161286.tif 000005
【図４】
2006161286.tif 000006
【図５】
2006161286.tif 000007
【図６】
2006161286.tif 000008
【図７】
2006161286.tif 000009
【図８】
2006161286.tif 000010
【図９】
2006161286.tif 000011
【図１０】
2006161286.tif 000012